(57)【特許請求の範囲】
【請求項１】
書籍などの被表示体を載置するように構成するとともに、支持部材を備えた台座と、この台座上方に所定距離をおいて前記支持部材に支持された本体内に、前記被表示体に光を照射するようになし、横向きに配置した蛍光灯を備えた照明部、前記蛍光灯と平行に横向きに配置し、前記被表示体の表示対象部分を拡大可能に撮影するカメラ、被表示体を前記カメラで撮影し得るように光を反射させるための反射鏡、をそれぞれ設けてなる撮影ユニットと、この撮影ユニット上に載置し、前記カメラによって撮影された被表示体の表示対象部分を画像として表示するディスプレイとから構成したディスプレイを用いた拡大表示装置であって、照明部は、撮影ユニットの本体内に設けた第１ヒンジによって上下方向に揺動変位可能に支持し、上方に揺動したときには撮影ユニット内に位置するとともに固定可能となし、固定状態を解除して下方に揺動変位させたときには、撮影ユニットの底部下方に露出する、前記蛍光灯を取り付けた取付板と、一端部を、上下方向で前記第１ヒンジと反対方向に揺動する第２ヒンジによって前記本体の底板に支持した開閉バーと、この開閉バーと前記取付板の各基部近傍部分をその両端で回転可能に連結した連動バーとからなることを特徴とするディスプレイを用いた拡大表示装置。
【請求項２】
請求項１に記載した照明部の取付板は、蛍光灯を取り付けるための一対のソケットを設け、このソケットの側部に、蛍光灯の端部の二本ずつの端子を差し込むための差込スリットを設ける一方、前記ソケットの差込スリットの入り口の上縁に対応位置させた下縁を有し、蛍光灯の端子を前記差込スリット入り口にガイドするための差込ガイドを設けてなることを特徴とするディスプレイを用いた拡大表示装置。
【請求項３】
請求項１に記載した撮影ユニットの本体内側に、カメラ、反射鏡、照明部をそれぞれ支持した固定枠を配置し、前記本体の側板のうちの対向する一対の側板の各内面に前記固定枠の両端部を位置させ、かつ前記一対の側板の外面に台座の支持部材上部を位置させ、これら固定枠端、側板、支持部材を離脱可能に、かつ一体的にビス止めしてなることを特徴とするディスプレイを用いた拡大表示装置。
【発明の詳細な説明】
【０００１】
【発明の属する技術分野】
本発明は、視力の弱い人が読書等をする場合などに使用すると好適な、ディスプレイに書籍などの表示対象部分を拡大して表示するディスプレイを用いた拡大表示装置に関する。
【０００２】
【従来の技術】
従来のディスプレイを用いた拡大表示装置には、被表示体を載置するように形成するとともに支持部材を備えた台座と、この台座上方に所定距離をおいて前記支持部材に支持された本体内に、前記被表示体に光を照射するようになした蛍光灯を備えた照明部、前記被表示体の表示対象部分を拡大可能に撮影するカメラ、被表示体を前記カメラで撮影し得るように、光を反射させる反射鏡、をそれぞれ配置してなる撮影ユニットと、この撮影ユニットに載置し、前記カメラによって撮影された被表示体の表示対象部分を画像として表示するディスプレイとから構成したものがある。
【０００３】
【発明が解決しようとする課題】
上記従来例のディスプレイを用いた拡大表示装置は、撮影ユニットにおける蛍光灯の交換作業やカメラなどの各部材の保守、管理の際は、撮影ユニットの本体内に手を入れたり、覗き込まなければならず、これら作業がしにくいという不都合があった。特に、蛍光灯をセットする作業において、蛍光灯の端子をソケットに差し込む作業が困難であるという問題があった。
【０００４】
本発明は、前述の不都合や問題を解消することを課題とし、該課題を解決したディスプレイを用いた拡大表示装置を提供することを目的とする。
【０００５】
【課題を解決するための手段】
前記目的を達成するために、請求項１に記載した本発明のディスプレイを用いた拡大表示装置は、書籍などの被表示体を載置するように構成するとともに、支持部材を備えた台座と、この台座上方に所定距離をおいて前記支持部材に支持された本体内に、前記被表示体に光を照射するようになし、横向きに配置した蛍光灯を備えた照明部、前記蛍光灯と平行に横向きに配置し、前記被表示体の表示対象部分を拡大可能に撮影するカメラ、被表示体を前記カメラで撮影し得るように光を反射させるための反射鏡、をそれぞれ設けてなる撮影ユニットと、この撮影ユニット上に載置し、前記カメラによって撮影された被表示体の表示対象部分を画像として表示するディスプレイとから構成したディスプレイを用いた拡大表示装置であって、照明部は、撮影ユニットの本体内に設けた第１ヒンジによって上下方向に揺動変位可能に支持し、上方に揺動したときには撮影ユニット内に位置するとともに固定可能となし、固定状態を解除して下方に揺動変位させたときには、撮影ユニットの底部下方に露出する、前記蛍光灯を取り付けた取付板と、一端部を、上下方向で前記第１ヒンジと反対方向に揺動する第２ヒンジによって前記本体の底板に支持した開閉バーと、この開閉バーと前記取付板の各基部近傍部分をその両端で回転可能に連結した連動バーとからなることを特徴とするものである。
【０００６】
また、請求項２に記載した本発明のディスプレイを用いた拡大表示装置は、請求項１に記載した照明部の取付板は、蛍光灯を取り付けるための一対のソケットを設け、このソケットの側部に、蛍光灯の端部の二本ずつの端子を差し込むための差込スリットを設ける一方、前記ソケットの差込スリットの入り口の上縁に対応位置させた下縁を有し、蛍光灯の端子を前記差込スリット入り口にガイドするための差込ガイドを設けてなることを特徴とするものである。
【０００７】
また、請求項３に記載した本発明のディスプレイを用いた拡大表示装置は、請求項１に記載した撮影ユニットの本体内側に、カメラ、反射鏡、照明部をそれぞれ支持した固定枠を配置し、前記本体の側板のうちの対向する一対の側板の各内面に前記固定枠の両端部を位置させ、かつ前記一対の側板の外面に台座の支持部材上部を位置させ、これら固定枠端、側板、支持部材を離脱可能に、かつ一体的にビス止めしてなることを特徴とするものである。
【０００８】
【発明の実施の形態】
以下に、本発明の好適な実施の形態を添付図面に基づいて詳細に説明する。ここにおいて、添付図面の図１は使用状態を示す斜視図、図２は使用状態における撮影ユニット部分を縦断して示す側面図、図３はソケットを本体外部に変位させた状態における撮影ユニット部分を縦断して示す側面図、図４は天板を取り除いた状態の撮影ユニットの拡大斜視図、図５は各部材とともに本体から取り出した状態の固定枠の斜視図、図６は照明部の分解状態を示す斜視図、図７はソケットと差込ガイドとの関係を示す部分拡大図、図８は脚体と撮影ユニットとの固定状態を示す拡大断面図である。
【０００９】
図１〜図３に示すように、ディスプレイを用いた拡大表示装置１は、被表示体である書籍２を載置するように構成するとともに、一対のパイプを折曲形成してなる支持部材たる脚体３を備えた台座４と、この台座４上方に所定距離をおいて前記両脚体３に支持された箱状の本体５ａ内に、前記書籍２に光を照射するための、横向きに配置する蛍光灯６ａを離脱可能に取り付ける照明部６、前記蛍光灯６ａと平行で横向きに配置し、前記書籍２の表示対象部分を拡大可能に撮影するカメラ７、書籍２を前記カメラ７で撮影し得るように、光を反射させる反射鏡８、をそれぞれ設けてなる撮影ユニット５と、この撮影ユニット５の本体５ａ上に載置し、前記カメラ７によって撮影された書籍２の表示対象部分を画像として表示するディスプレイ９とから構成する。
【００１０】
図１〜図４及び図８に示すように、撮影ユニット５の本体５ａは、四辺の側板１０、分離可能な天板１１及び底板１２ａ，１２ｂにより箱状に形成され、その内側に、第１固定枠１３と第２固定枠１４とを所定間隔をおいて平行で横向きに配置してなる。この第１、第２固定枠１３，１４の各両端部は、それぞれ前記各側板１０のうち対向する一対の側板１０を脚体３との間にそれぞれ挟んで、各ビス１５，１６（それぞれ一方端のみ図示）によって分離可能に固定する（図８参照）。前記本体５ａの底部の前記底板１２ａは透明板で構成され、また、前記底板１２ｂは不透明板で構成され、また、第１、第２固定枠１３，１４間部分の底部には底板を設けない。さらに、図５中、符号１５ａは、前記ビス１５が螺合する固定枠１３に設けた螺孔であり、図４中、符号１６ａは、前記ビス１６が螺合する固定枠１４に設けた螺孔である。
【００１１】
前記第１固定枠１３には、カメラ７、反射鏡８、照明部６の一側を取り外し可能に支持し、また、前記底板１２には、照明部６の他側を取り外し可能に支持し、第１固定枠１３は、前記ビス１５を取り外すことによって、撮影ユニット５を各脚体３から外すことが可能となる。
【００１２】
図２及び図３に明示したように、照明部６は、板体を折曲形成してなり、その一縁を上下方向に揺動する第１ヒンジ１７を介して前記第１固定枠１３に支持した取付板１８と、一端部を、上下方向で前記第１ヒンジ１７と反対方向に揺動する第２ヒンジ１９を介して底板１２ｂに支持した開閉バー２０と、この開閉バー２０と前記取付板１８の各基部近傍部分をその両端で回転可能に連結した連動バー２１と、からなる。前記開閉バー２０は、固定枠１３，１４間の間隔より若干長く形成され、その自由端には、第１固定枠１３の下面に設けた螺孔に螺合する止めねじ２２を設ける。
【００１３】
図７に明示したように、取付板１８には、蛍光灯６ａをセットする一対のソケット２３を設けるとともに、この取付板１８の端部には、ソケット２３の、蛍光灯６ａの端部の二本ずつの端子２４を差し込むための差込スリット２５に対応位置して、蛍光灯６ａの前記端子２４を差込スリット２５に差し込むのをガイドするための差込ガイド２６が形成してある。前記ソケット２３は公知のもので、その差込スリット２５はソケット２２内側で接触端子２５ａとなるように形成してある。また、前記取付板１８は、内面が反射板となっていて、蛍光灯６ａが発した光が台座４方向に反射するように構成してある。
【００１４】
図１〜図３に示すように、撮影ユニット５の前面には、カメラ７のズーム機構を操作するためのスイッチ２７ａ、反射鏡の角度を調節するための摘み２７ｂを設けてある。また、カメラ７とディスプレイ９は通信線（図示せず）で連結してあり、さらに、ディスプレイ７の前面には、電源スイッチ９ａや輝度調整用の操作スイッチ９ｂ，９ｃが配置してある。
【００１５】
上記のように構成した拡大表示装置１の照明部６は、図２の状態において台座４上の書籍２に蛍光を照射するとともに、必要に応じて、図３に示すように、止めねじ２２を本体５ａ側の第１固定枠１３の螺孔から外し、開閉バー２０を下方に回転することによって、連動バー２１を介して取付板１８を本体５ａの下方に揺動変位させ、外部に露出し、蛍光灯６ａの交換を行う。なお、この照明部６を本体５ａ内に収容するには、図５の状態において、取付板１８を持ち上げながら、開閉バー２０を持って前記とは逆に回転することによって、取付板１８を上方に揺動変位させ本体５ａ内に収容し、止めねじ２２を第１固定枠１３の螺孔に螺合して位置固定する。
【００１６】
また、蛍光灯６ａの取り付けに際しては、差込ガイド２６に蛍光灯６ａ端の各端子２４を当てながら差込スリット２５に差し込み、内部で９０度回転して内部の接触端子２５ａに電気接触させる。このように、差込ガイド２６を設けることによって、視力の弱い人でも蛍光灯６ａの取り付け作業を行いやすくなる。
【００１７】
さらに、撮影ユニット５のカメラ７、反射鏡８あるいは照明部６の修理、調整や掃除の際には、ディスプレイ９を撮影ユニット７上から下ろし、ビス１５，１６を取り外すことによって、各脚体３から分離した後に、第１固定枠１３を本体５ａから分離する。そして、この第１固定枠１３に支持されているカメラ７、反射鏡８、照明部６も分離して修理したり掃除する。
【００１８】
なお、本発明は上記実施形態になんら限定されるものではなく、例えば、照明部６は、必要に応じて撮影ユニットの底部下方に露出させ、蛍光灯の交換を行い易くするものであれば、上記実施形態のように、揺動変位して外部に露出する機構を有するものでなくてもよい。
【００１９】
【発明の効果】
以上のように、請求項１に記載した本発明は、照明部を、撮影ユニット内に設けた固定枠にヒンジによって上下方向に揺動変位可能に取り付け、下方に揺動変位して撮影ユニットの底部下方に露出しうるので、蛍光灯の交換を行い易いという効果を奏する。
【００２０】
また、請求項２に記載した本発明は、請求項１に記載した発明の効果に加えて、照明部に、蛍光灯の端子を前記差込スリットに差し込むのをガイドする差込ガイドを設けので、蛍光灯の取り付け作業を容易に行うことができるという効果を奏する。
【００２１】
さらに、請求項３に記載した本発明は、請求項１あるいは請求項２に記載した発明の効果に加えて、撮影ユニットの本体内側の、カメラ、反射鏡、照明部をそれぞれ支持する固定枠と、本体の側板と、台座の支持部材上部とを、一体的にビス止めして組み立ててあるので、ビスを外せば、カメラ、反射鏡、照明部を固定枠とともに本体から分離して修理や掃除を行うことが可能であるという効果を奏する。
【図面の簡単な説明】
【図１】使用状態を示す斜視図。
【図２】使用状態における撮影ユニット部分を縦断して示す側面図。
【図３】ソケットを本体外部に変位させた状態における撮影ユニット部分を縦断して示す側面図。
【図４】天板を取り除いた状態の撮影ユニットの拡大斜視図。
【図５】各部材とともに本体から取り出した状態の固定枠の斜視図。
【図６】照明部の分解状態を示す斜視図。
【図７】ソケットと差込ガイドとの関係を示す部分拡大図。
【図８】脚体と撮影ユニットとの固定状態を示す拡大断面図。
【符号の説明】
１  拡大表示装置
２  書籍
３  脚体
４  台座
５  撮影ユニット
５ａ  本体
６  照明部
６ａ  蛍光灯
７  カメラ
８  反射鏡
９  ディスプレイ
１０  側板
１１  天板
１２ａ，１２ｂ  底板
１３  第１固定枠
１４  第２固定枠
１５，１６  ビス
１７  第１ヒンジ
１８  取付板
１９  第２ヒンジ
２０  開閉バー
２１  連繋バー
２２  止めねじ
２３  ソケット
２４  端子
２５  差込スリット
２５ａ  接触端子
２６  差込ガイド
【図１】
0003549495.tif 000002
【図２】
0003549495.tif 000003
【図３】
0003549495.tif 000004
【図４】
0003549495.tif 000005
【図５】
0003549495.tif 000006
【図６】
0003549495.tif 000007
【図７】
0003549495.tif 000008
【図８】
0003549495.tif 000009